(57)【要約】【課題】  本考案は、一晩で約２０回〜約４０回も行われる寝返りをスムーズに行うことができるようにして快眠が妨げられるのを防止できる敷きパッドを提供する。【解決手段】  敷きパッド１０は主に敷き布団の上に配設されて使用されるものである。この敷きパッド１０の一側部１０Ａの長手方向中間部には第１サイド隆起部１２が形成され、敷きパッド１０の他側部１０Ｂの長手方向中間部には第２サイド隆起部１４が形成されている。これら第１サイド隆起部１２と第２サイド隆起部１４の内部には充填材１６がそれぞれ充填されている。前記敷きパッド１０の第１サイド隆起部１２と第２サイド隆起部１４を除いた部分は平面状のフラット部１８となっている。また、敷きパッド１０の背面の四角には布団係止ゴム２０が傾斜状態で取り付けられている。【選択図】  図１
0003111457.tif 000002
【実用新案登録請求の範囲】
【請求項１】
敷き布団等の上に配設されて使用される平面視矩形状の敷きパッドであって、この敷きパッドの一側部に形成された第１サイド隆起部と、前記敷きパッドの他側部に形成された第２サイド隆起部と、これら第１サイド隆起部と第２サイド隆起部を除いた前記敷きパッドの部分に形成された平面状のフラット部と、を有してなることを特徴とする敷きパッド。
【請求項２】
敷き布団等の上に配設されて使用される平面視矩形状の敷きパッドであって、この敷きパッドの一側部の中間部に形成された第１サイド隆起部と、前記敷きパッドの他側部の中間部に前記第１サイド隆起部と対向して形成された第２サイド隆起部と、これら第１サイド隆起部と第２サイド隆起部を除いた前記敷きパッドの部分に形成された平面状のフラット部と、前記敷きパッドの背面の四角に取り付けられた係止体と、を有してなることを特徴とする敷きパッド。
【請求項３】
敷き布団等の上に配設されて使用される平面視矩形状の敷きパッドであって、この敷きパッドの一側部の中間部に形成された第１サイド隆起部と、前記敷きパッドの他側部の中間部に前記第１サイド隆起部と対向して形成された第２サイド隆起部と、これら第１サイド隆起部と第２サイド隆起部を除いた前記敷きパッドの部分に形成された平面状のフラット部と、このフラット部に形成されたキルティングと、を有してなることを特徴とする敷きパッド。
【請求項４】
敷き布団等の上に配設されて使用される平面視矩形状の敷きパッドであって、この敷きパッドの一側部の中間部に形成された第１サイド隆起部と、前記敷きパッドの他側部の中間部に前記第１サイド隆起部と対向して形成された第２サイド隆起部と、これら第１サイド隆起部と第２サイド隆起部を除いた前記敷きパッドの部分に形成された平面状のフラット部と、このフラット部に形成されると共にフラット部の中央部に近づくほど細かく形成されたキルティングと、を有していなることを特徴とする敷きパッド。
【請求項５】
敷き布団等の上に配設されて使用される平面視矩形状の敷きパッドであって、この敷きパッドの一側部の中間部に形成された第１サイド隆起部と、前記敷きパッドの他側部の中間部に前記第１サイド隆起部と対向して形成された第２サイド隆起部と、これら第１サイド隆起部と第２サイド隆起部を除いた前記敷きパッドの部分に形成された平面状のフラット部と、このフラット部に形成されると共にフラット部の中央部に近づくほど細かく形成されたキルティングと、前記敷きパッドの背面の四角に取り付けられた係止体と、を有してなることを特徴とする敷きパッド。
【考案の詳細な説明】
【技術分野】
【０００１】
本考案は、敷き布団等の上に配設されて、睡眠中にスムーズに寝返りを行うことができる敷きパッドに関する。
【背景技術】
【０００２】
通常、健康な人は一晩の睡眠中に平均約２０回から約４０回程度の寝返りを行うといわれている。この寝返りは適度であれば身体のうっ血を解消し、身体や睡眠を整えることが知られている。
ところで、柔らかい敷き布団は寝心地がよいイメージを有しているが、柔らかすぎる敷き布団は身体が少し沈んだ状態になりスムーズな寝返りを困難にして快眠を妨げてしまう。
また、硬すぎる敷き布団は体圧分散が少ないため身体にうっ血が起こり易くなり、頻繁に寝返りを行うようになって、これにより快眠を妨げてしまう。
【考案の開示】
【考案が解決しようとする課題】
【０００３】
本考案は、上記事実に鑑みなされたものであり一晩で約２０回〜約４０回も行われる寝返りをスムーズに行うことができるようにすることにより快眠が妨げられるのを防止できる敷きパッドを提供するものである。
【課題を解決するための手段】
【０００４】
請求項１の考案は、敷き布団等の上に配設されて使用される平面視矩形状の敷きパッドであって、この敷きパッドの一側部に形成された第１サイド隆起部と、前記敷きパッドの他側部に形成された第２サイド隆起部と、これら第１サイド隆起部と第２サイド隆起部を除いた前記敷きパッドの部分に形成された平面状のフラット部と、を有することを特徴としている。
請求項２の考案は、敷き布団等の上に配設されて使用される平面視矩形状の敷きパッドであって、この敷きパッドの一側部の中間部に形成された第１サイド隆起部と、前記敷きパッドの他側部の中間部に前記第１サイド隆起部と対向して形成された第２サイド隆起部と、これら第１サイド隆起部と第２サイド隆起部を除いた前記敷きパッドの部分に形成された平面状のフラット部と、前記敷きパッドの背面の四角に取り付けられた係止体と、を有することを特徴としている。
請求項３の考案は、敷き布団等の上に配設されて使用される平面視矩形状の敷きパッドであって、この敷きパッドの一側部の中間部に形成された第１サイド隆起部と、前記敷きパッドの他側部の中間部に前記第１サイド隆起部と対向して形成された第２サイド隆起部と、これら第１サイド隆起部と第２サイド隆起部を除いた前記敷きパッドの部分に形成された平面状のフラット部と、このフラット部に形成されたキルティングと、を有することを特徴としている。
請求項４の考案は、敷き布団等の上に配設されて使用される平面視矩形状の敷きパッドであって、この敷きパッドの一側部の中間部に形成された第１サイド隆起部と、前記敷きパッドの他側部の中間部に前記第１サイド隆起部と対向して形成された第２サイド隆起部と、これら第１サイド隆起部と第２サイド隆起部を除いた前記敷きパッドの部分に形成された平面状のフラット部と、このフラット部に形成されると共にフラット部の中央部に近づくほど細かく形成されたキルティングと、を有することを特徴としている。
請求項５の考案は、敷き布団等の上に配設されて使用される平面視矩形状の敷きパッドであって、この敷きパッドの一側部の中間部に形成された第１サイド隆起部と、前記敷きパッドの他側部の中間部に前記第１サイド隆起部と対向して形成された第２サイド隆起部と、これら第１サイド隆起部と第２サイド隆起部を除いた前記敷きパッドの部分に形成された平面状のフラット部と、このフラット部に形成されると共にフラット部の中央部に近づくほど細かく形成されたキルティングと、前記敷きパッドの背面の四角に取り付けられた係止体と、を有することを特徴としている。
【考案の効果】
【０００５】
本考案の敷きパッドは、睡眠中に何回も行われる寝返りをスムーズに行うことができるので快眠を妨げないという優れた効果を有する。
【考案を実施するための最良の形態】
【０００６】
考案を実施するために最良の形態の例として以下のような実施例を示す。
【実施例１】
【０００７】
図１〜図５には本考案の敷きパッドの第１実施例が示されている。
図１に示されるように、この敷きパッド１０は主に敷き布団（図示せず）の上に配設されて使用されるものであり、敷きパッド１０は平面視矩形状に形成されている。
上述したように前記敷きパッド１０は主に敷き布団の上に配設されて使用されるため、敷きパッド１０は使用者の身体に直接当接するので適当な柔らかさを有する素材で形成されている。なお、この実施例では敷きパッド１０の素材としてウォシュロンが使用されている。
図１及び図２に示されるように、前記敷きパッド１０の一側部１０Ａの長手方向中間部には第１サイド隆起部１２が形成されている。また、敷きパッド１０の他側部１０Ｂの長手方向中間部には前記第１サイド隆起部１２と対向して第２サイド隆起部１４が形成されている。これら第１サイド隆起部１２と第２サイド隆起部１４の内部には充填材１６がそれぞれ充填され、これにより前記第１サイド隆起部１２と第２サイド隆起部１４は隆起した状態で形成されている。また、図４及び図５に示されるように、前記第１サイド隆起部１２の内側縁１２Ａと第２サイド隆起部１４の内側縁１４Ａは円弧状に形成されている。
図１に示されるように、前記敷きパッド１０の第１サイド隆起部１２と第２サイド隆起部１４を除いた部分は平面状のフラット部１８となっている。
図３に示されるように、前記敷きパッド１０の背面の四角には係止体としての布団係止ゴム２０が傾斜状態で取り付けられている。この布団係止ゴム２０には敷き布団の角部を挟み込むことができるようになっている。従って、敷き布団の角部を布団係止ゴム２０に挟み込むことにより敷きパッド１０を敷き布団の上に確実に取り付けることができるようになっている。
【０００８】
第１実施例の敷きパッド１０の作用を説明する。
この敷きパッド１０を使用する場合は敷き布団を用意してその上に配設すると共に敷き布団の角部をそれぞれ敷きパッド１０の背面に設けられた布団係止ゴム２０に挟み込むことにより敷きパッド１０を敷き布団に取り付ける。
図５に示されるように、睡眠中に図５右側に寝返りを行って脚を前記第２サイド隆起部１４に載せると脚は第２サイド隆起部１４にやさしく支持ささえられるので、身体を安定させることができる。
また、図５に示される体勢から反対側である図５左側に寝返りを行う場合は脚は隆起している第２サイド隆起部１４の上に既に載って少し高くなっている状態であるので反対側に寝返りを行う場合は寝返りがし易く、スムーズな寝返りを行うことができる。
従って、前記敷きパッド１０を使用すれば、一晩に平均して約２０回〜約４０回程度と多く行われる寝返りをスムーズに行うことができるので、快眠を妨げられない。
【０００９】
図６には本考案の敷きパッドの第２実施例が示されている。なお、第１実施例の敷きパッド１０と同一の構成は同一の符号を用いてその説明は省略する。
図６に示されるように、第２実施例の敷きパッド３０のフラット部１８にはキルティング３２が形成されている。
なお、寝返りは一般に腰を中心にして行われるため腰が位置するフラット部１８の中央部１８Ａは頭部が位置するフラット部１８の上部１８Ｂや脚が位置するフラット部１８の下部１８Ｃに比べて前記キルティング３２が細かく形成されている。
これにより、寝た場合に腰が位置する前記フラット部１８の中央部１８Ａのキルティング３２は細かく形成されているため中央部１８Ａは比較的硬くなって腰が安定し、寝返りがより行い易いようにしている。
しかも、上述したように寝返りをして脚が隆起している第１サイド隆起部１２又は第２サイド隆起部１４の上に既に載っている状態の場合は反対側に寝返りし易くなっているので、第１実施例の敷きパッド１０よりも更にスムーズな寝返りを行うことができる
なお、フラット部１８の頭部が位置する上部１８Ｂと脚が位置する下部１８Ｃはキルティング３２は中央部１８Ａに比べて細かく形成されていないので柔らかい感触を得られるようになっている。
なお、他の構成、作用、効果は第１実施例の敷きパッド１０と同一であるのでその説明は省略する。
【００１０】
図７には第３実施例の敷きパッドが示されている。なお、第１実施例の敷きパッド１０、第２実施例の敷きパッド３０と同一の構成は同一の符号を用いてその説明を省略する。
図７に示されるように、第３実施例の敷きパッド４０のフラット部１８の中央部１８Ａに形成されているキルティング３２は第２実施例の敷きパッド３０のフラット部１８の中央部１８Ａに形成されたキルティング３２よりも細かく形成されている。
従って、第３実施例の敷きパッド４０のフラット部１８の中央部１８Ａは第２実施例の敷きパッド３０のフラット部１８の中央部１８Ａよりも硬く形成されている。
なお、他の構成、作用、効果は第１実施例の敷きパッド１０、第２実施例の敷きパッド３０と同一であるのでその説明は省略する。
【００１１】
図８には第４実施例の敷きパッドが示されている。なお、第１実施例の敷きパッド１０、第２実施例の敷きパッド３０と同一の構成は同一の符号を用いてその説明を省略する。
図８に示されるように、第４実施例の敷きパッド５０のフラット部１８の中央部１８Ａに形成されたキルティング３２は第３実施例の敷きパッド４０のフラット部１８の中央部１８Ａに形成されたキルティング３２よりもさらに細かく形成されている。
従って、第４実施例の敷きパッド５０のフラット部１８の中央部１８Ａは第３実施例の敷きパッド４０のフラット部１８の中央部１８Ａよりもさらに硬く形成されている。
なお、他の構成、作用、効果は第１実施例の敷きパッド１０、第２実施例の敷きパッド３０と同一であるのでその説明は省略する。
【００１２】
なお、敷きパッド３０，４０，５０のフラット部１８に形成されるキルティング３２の形状や細かさは前記実施例に示されたキルティング３２の形状や細かさに限定されるものでないことは勿論である。
【００１３】
なお、実施例では敷きパッド１０，３０，４０，５０を敷き布団１２の上に配設して使用する場合を示したが、敷きパッド１０，３０，４０，５０はベッド等に使用してもよいことは勿論である。
【図面の簡単な説明】
【００１４】
【図１】第１実施例の敷きパッドの全体斜視図である。
【図２】第１実施例の敷きパッドの側面図である。
【図３】第１実施例の敷きパッドの背面図である。
【図４】第１実施例の敷きパッドの使用状態を示す平面図である。
【図５】第１実施例の敷きパッドの使用状態を示す平面図である。
【図６】第２実施例の敷きパッドの平面図である。
【図７】第３実施例の敷きパッドの平面図である。
【図８】第４実施例の敷きパッドの平面図である。
【符号の説明】
【００１５】
１０    敷きパッド
１２    第１サイド隆起部
１４    第２サイド隆起部
１６    充填材
１８    フラット部
２０    布団係止ゴム
３０    敷きパッド
３２    キルティング
４０    敷きパッド
５０    敷きパッド
【図１】
0003111457.tif 000003
【図２】
0003111457.tif 000004
【図３】
0003111457.tif 000005
【図４】
0003111457.tif 000006
【図５】
0003111457.tif 000007
【図６】
0003111457.tif 000008
【図７】
0003111457.tif 000009
【図８】
0003111457.tif 000010